(57)【要約】      （修正有）【課題】Ｔ形断面部材とＨ形断面部材等のように、これら部材の軸芯位置が大きく異なる部材同士が交差する場合であっても、接合部で立体トラス部材同士が偏芯する事がなく安定した立体トラスを実現できる接合構造を提供する。【解決手段】Ｔ形断面部材１１と、同部材１１に交差しＴ形断面部材１１とは異なる断面形状或いは断面せいの交差部材１２とを接合する接合金物１０において、前記Ｔ形断面部材１１の軸芯Ｌ１と前記交差部材１２の軸芯Ｌ２とを偏芯なく一致させ、かつ、これら両部材１１、１２の軸芯Ｌ１、Ｌ２の交点にラチス材３の軸芯Ｌ３を引付ける。【選択図】図１
0003183152.tif 000002
【実用新案登録請求の範囲】
【請求項１】
略四角形格子が上下に隔てて配置され、かつ、これら略四角形格子は平面視で重なることなく、一方の略四角形格子の各々の節点中央に他方の略四角形格子の各々の節点が位置するようにずれて配置され、これら上下節点間に傾斜して配置される複数のラチス材から構成される立体トラスであって、前記略四角形格子を形成する部材としてＴ形断面部材と、当該Ｔ形断面部材に交差しＴ形断面部材とは異なる断面形状或いは断面せいの交差部材とを接合する接合金物において、当該接合金物に前記Ｔ形断面部材の軸芯と前記交差部材の軸芯とを一致させ、これら両部材の軸芯の交点にラチス材の軸芯を引付けてなることを特徴とする立体トラス部材の接合構造。
【請求項２】
略四角形格子が上下に隔てて配置され、かつ、これら略四角形格子は平面視で重なることなく、一方の略四角形格子の各々の節点中央に他方の略四角形格子の各々の節点が位置するようにずれて配置され、これら上下節点間に傾斜して配置される複数のラチス材から構成され、かつ前記略四角形格子の対角方向の節点間に交差部材が配置される立体トラスであって、前記略四角形格子を形成するＴ形断面部材と、当該Ｔ形断面部材とは異なる断面形状或いは断面せいの前記略四角形格子の対角方向の交差部材とを接合する接合金物において、当該接合金物に前記Ｔ形断面部材の軸芯と前記対角部材の軸芯とを一致させ、これら両部材の軸芯の交点にラチス材の軸芯を引付けてなることを特徴とする立体トラス部材の接合構造。
【請求項３】
前記Ｔ形断面部材と交差部材とを接合する接合金物の、前記交差部材を接合する交差部材用プレートが、前記接合金物を貫通する通し板になっていることを特徴とする請求項１又は２に記載の立体トラス部材の接合構造。
【請求項４】
前記交差部材としてＨ形断面部材を用い、前記接合金物の交差部材用プレートに接合される前記Ｈ形断面部材のウェブの部分が、添え板による増厚又はスチフナによる補剛或いはその双方が施されていることを特徴とする請求項１乃至請求項３に記載の立体トラス部材の接合構造。
【請求項５】
前記交差部材として２本のコ形断面部材を用い、前記接合金物の交差部材用プレートを前記２本のコ形断面部材のウェブにより挟み込んで接合したことを特徴とする請求項１乃至請求項３に記載の立体トラス部材の接合構造。
【考案の詳細な説明】
【技術分野】
【０００１】  体育館等の大張間建物の屋根架構に用いられる立体トラスを構成するトラス部材同士の接合構造に関する。
【背景技術】
【０００２】  従来、屋根架構をトラスとする場合、図４に示すように、上弦材１０１と下弦材１０１ａにＴ形断面部材を用いた平面トラス１００とし、その上弦材１０１に直交して小梁１０２を接合し、その小梁１０２にＨ形断面部材等を用い、下弦材１０１ａの節点から座屈止め材１０４を小梁１０２の長手方向に向けて設けることにより、屋根架構を構成していた。
この場合、上弦材１０１と小梁１０２との接合部は、図５（ａ）、（ｂ）に図示のように、Ｔ形断面部材を用いた上弦材１０１とＨ形断面部材を用いた小梁１０２とは使用部材の種類が異なり、かつ、その断面せいも異なる部材同士１０１、１０２を上端が同一レベルになるように配置され、上弦材１０１に取付けられたガセットプレート１０２ａを介してボルト１０２ｂ、１０２ｂ・・・にて小梁１０２を接合し、かつ平面トラス１００の面内を構成するラチス材１０３の軸芯Ｌ３は上弦材１０１の軸芯Ｌ１に引付けることが一般的であった。【０００３】  従って、上弦材１０１であるＴ形断面部材の軸芯Ｌ１と小梁１０２であるＨ形断面部材の軸芯Ｌ２のレベルは一致せず、軸芯間寸法ｅの隔たりをもって偏芯して交差していることになる。しかし、通常、小梁１０２と上弦材１０１とは直交して配置され、かつ、小梁１０２はラチス材１０３とも直交しているため、小梁１０２と上弦材１０１及びラチス材１０３との各部材相互間の軸力の伝達はほとんどないので、前記の偏芯の影響は問題とならない。【０００４】  ところが、通常の立体トラスの場合では、前記の偏芯があるとその影響が問題となる。その従来の立体トラス架構の例を図６〜図８に図示する。
図６の立体トラス架構は、平面視で上弦面、下弦面とも四角形格子の大きさと向きがほぼ同じで四角形格子が互いに半ピッチ分ずれて配置され、上弦節点１ａ、下弦節点２ａには全て、４本のラチス材３、３・・・が四角垂状に接合する形式の場合である。
一方、図７の立体トラス架構は、平面視で上弦面、下弦面とも四角形格子であるが、上弦面の四角形格子に対して下弦面が概ね４５度交差して配置され、上弦面の四角形格子の中央下面に下弦面の下弦節点２ａが位置し、下弦面の四角形格子の方が大きく、下弦節点２ａには４本のラチス材３、３・・・が四角垂状に接合するが、上弦節点１ａには２本のラチス材３、３が対向して接合されるのみである。【０００５】  また、図８は棟頂部から軒先に向かって傾斜する三角屋根の立体トラス架構を示し、図７で示す立体トラス架構の上下格子のパターンを入れ替えた場合であり、上弦面の四角形格子の方が大きく、平面視での向きも下弦面の四角形格子に対して概ね４５度傾斜しているため、上弦節点１ａには４本のラチス材３、３・・・が四角垂状に接合するが、下弦節点２ａには２本のラチス材３、３が接合されるのみである。なお、図８の平面図ではラチス材３、３・・・が表示されていないが、上弦材１、１・・・の真下（重なった位置）にある。図８では、四角形格子の上弦材１、１・・・の上弦節点１ａ、１ａ・・・間を対角方向に繋ぐように交差部材（対角材）４、４・・・を、上弦面の棟頂部に追加されているが、その交差部材４、４・・・は棟頂部以外の上弦面の上弦節点１ａ、１ａ・・・間或いは下弦面の下弦節点２ａ、２ａ・・・間にも追加されることがあり、その配置は任意である。
図６〜図８のどちらの立体トラス架構であっても、上弦材１、１・・・からなる四角形格子の上弦節点１ａと、下弦材２、２・・・からなる四角形格子の下弦節点２ａとに、上弦材１或いは下弦材２とは異なる斜め方向から複数のラチス材３、３・・・が傾斜して接合された三次元構造なので、上弦材１と下弦材２又は交差部材４及びラチス材３の各部材相互間で軸力の伝達が行われる。【０００６】  それらの立体トラス架構の使用部材として、図９（ａ）の側面図、及び（ａ）のロ−ロ断面である（ｂ）の平面図に図示すように、一方の上弦材１にＴ形断面部材１１１を用い、それに交差する他方の上弦材１である交差部材１１２にＨ形断面部材を用い、これらＴ形断面部材１１１と交差部材１１２とを接合する接合金物１１０は、Ｔ形断面部材１１１のフランジ及びウェブの位置に合わせた平面プレート１１０ａと縦プレート１１０ｂにより形成され、この両プレート１１０ａ、１１０ｂとＴ形断面部材１１１のフランジ及びウェブとが、図９（ｂ）のハ−ハ断面で示すように、スプライスプレート１１１ｂ、１１１ｂ・・・を介してボルト１１１ａ、１１１ａ・・・にてそれぞれ接合され、また、交差部材１１２であるＨ形断面部材のウェブと、接合金物１１０の交差部材１１２の方向に取付けられた交差部材用プレート１１０ｃとがボルト１１２ａ、１１２ａ・・・のみにより直接接合される。【０００７】  そして、Ｔ形断面部材１１１と交差部材１１２との上端の高さレベルを一致させた場合には、Ｔ形断面部材１１１の軸芯Ｌ１とそれに交差する交差部材１１２（Ｈ形断面部材）の軸芯Ｌ２とが軸芯間寸法ｅの隔たりをもって偏芯して交差していると、ラチス材１１３の軸芯Ｌ３をどちらの軸芯Ｌ１、Ｌ２に引き付けても偏芯が生じ、その軸芯間寸法ｅに応じて局部的な曲げモーメントが発生する。そのため、偏芯が無かった場合に比べて各部材１１１、１１２のサイズ或いは接合金物１１０は大きくなり不経済であり、かつ、立体トラスとしての構造安定性の面からも好ましくない。【０００８】  また、図９（ａ）に示すように、Ｔ形断面部材１１１と交差部材１１２（Ｈ形断面部材）上端の高さレベルが一致していると、交差部材１１２と接合金物１１０の交差部材用プレート１１０ｃとを介して接合するボルト１１２ａ、１１２ａ・・・の位置も低くなるので、このボルト１１２ａ、１１２ａ・・・の一部と同図中の破線で示すラチス材１１３を接合するガセットプレート１１３ａが干渉する問題がある。それを回避するためには、交差部材用プレート１１０ｃを水平方向に長くして、そのボルト１１２ａ、１１２ａ・・・との接合位置をガセットプレート１１３ａから離す必要があるが、接合部が大きくなり意匠的に好ましくないだけでなく、交差部材用プレート１１０ｃのみが長くなるため、特に接合部の圧縮耐力の低下につながるので望ましくない。
以上は図９（ａ）、（ｂ）を参照して上弦材１の接合部として説明したが、下弦材２の接合部においても偏芯の問題は全く同じであることは言うまでもない。【０００９】立体トラス部材の接合部構造に関する開示情報としては、例えば、特許文献１〜４がある。
特許文献１では、上弦材に溝形鋼、下弦材とラチス材にアングル材を用いた版状立体トラスの各節点の接合構造について、その加工、組立てを容易にするために、交差する上弦材同士の軸芯を敢えて一致させない構造とするものであり、上記の偏芯による問題を抱えている。【００１０】  特許文献２では、上弦材及び下弦材にＣＴ形鋼、ラチス材に鋼管を用いた版状立体トラスの各節点について、交差する上弦材同士及び下弦材同士のフランジ外面が一致した接合構造を図示しており、交差する弦材はＣＴ形鋼同士なので軸芯のずれ（偏芯）はほぼ無く、ラチス材の軸芯は交差する弦材のＣＴ形鋼の軸芯の交点に一致するように引き付けている。即ち、上弦材又は下弦材はほぼ同サイズのＣＴ形鋼同士の交差であるので、軸芯を一致させて偏芯を無くすことは容易である。しかし、交差する部材の一方が、例えばＨ形断面部材のように、軸芯位置がフランジの外面よりも大きく離れる部材では、やはり偏芯の問題が発生する。【００１１】  特許文献３、４では、上弦材又は下弦材の交差ずる両部材が同じ種類の部材（アングル材等）を用いた立体トラスの各節点について図示されており、偏芯のない接合構造が示されているが、特許文献２と同様に交差する部材の一方が、例えばＨ形断面部材のような場合は偏芯の問題が発生する。
以上のように、これらの特許文献１〜４は、上弦材又は下弦材の交差する両部材が同じ種類ではない、つまり軸芯の位置が大きく異なる部材を立体トラス部材として混用した場合の偏芯の影響について何らの示唆もない。
【先行技術文献】
【特許文献】
【００１２】
【特許文献１】特公昭４５−３３５７２号公報
【特許文献２】実開昭４９−７０７０６号公報
【特許文献３】特開２００２−２１３０１６号公報
【特許文献４】特開２０１１−１４９２２４号公報
【考案の概要】
【考案が解決しようとする課題】
【００１３】  本考案は、立体トラスを構成する部材としてＴ形断面部材と、当該Ｔ形断面部材と交差する部材がＨ形断面部材等のように、部材の断面形状或いは断面せいが大きく異なる部材同士が交差する場合に生じる、立体トラス部材の接合部における偏芯の問題を解決する接合構造を提供するものである。
【課題を解決するための手段】
【００１４】  上記課題を解決するための本考案の第１の手段は、略四角形格子が上下に隔てて配置され、かつ、これら略四角形格子は平面視で重なることなく、一方の略四角形格子の各々の節点中央に他方の略四角形格子の各々の節点が位置するようにずれて配置され、これらの上下節点間に傾斜して配置される複数のラチス材から構成される立体トラスであって、前記略四角形格子を形成する部材としてＴ形断面部材と、当該Ｔ形断面部材に交差しＴ形断面部材とは異なる断面形状或いは断面せいの交差部材とを接合する接合金物において、当該接合金物に前記Ｔ形断面部材の軸芯と前記交差部材の軸芯とを一致させ、これら両部材の軸芯の交点にラチス材の軸芯を引付けてなることを特徴とする立体トラス部材の接合構造である。【００１５】  本考案の第２の手段は、略四角形格子が上下に隔てて配置され、かつ、これら略四角形格子は平面視で重なることなく、一方の略四角形格子の各々の節点中央に他方の略四角形格子の各々の節点が位置するようにずれて配置され、これら上下節点間に傾斜して配置される複数のラチス材から構成され、かつ前記略四角形格子の対角方向の節点間に交差部材（対角材）が配置される立体トラスであって、前記略四角形格子を形成するＴ形断面部材と、当該Ｔ形断面部材とは異なる断面形状或いは断面せいの前記略四角形格子の対角方向の交差部材とを接合する接合金物において、当該接合金物に前記Ｔ形断面部材の軸芯と前記対角部材の軸芯とを一致させ、これら両部材の軸芯の交点にラチス材の軸芯を引付けてなることを特徴とする立体トラス部材の接合構造である。【００１６】  本考案の第３の手段は、上記第１及び第２の手段において、前記Ｔ形断面部材と前記交差部材とを接合する接合金物の、前記交差部材を接合する交差部材用プレートが、前記接合金物を貫通する通し板になっていることを特徴とする立体トラス部材の接合構造である。【００１７】  本考案の第４の手段は、上記第１乃至第３の手段において、前記交差部材としてＨ形断面部材を用い、前記接合金物の交差部材用プレートにより接合される前記Ｈ形断面部材のウェブの部分が、添え板による増厚又はスチフナによる補剛或いはその双方が施されていることを特徴とする立体トラス部材の接合構造である。【００１８】  本考案の第５の手段は、上記第１乃至第３の手段において、前記交差部材として２本のコ形断面部材を用い、前記接合金物の交差部材用プレートを前記２本のコ形断面部材のウェブにより挟み込んで接合したことを特徴とする立体トラス部材の接合構造である。
以上を課題解決の手段とするものである。
【考案の効果】
【００１９】  本考案は、以上のような手段によるので、次のような効果がある。
（１）Ｔ形断面部材とＨ形断面部材やコ形断面部材のように断面形状或いは断面せいが大きく異なる部材を混用する場合でも、偏芯の問題を解消して、構造的に安定した立体トラスを実現できる。
（２）部材同士の偏芯がないので、偏芯がある場合に比べ、部材サイズを小さくできて経済的である。
（３）Ｈ形断面部材やコ形断面部材の軸芯をＴ形断面部材の軸芯に合わせることにより、交差部材（Ｈ形断面部材等）と接合金物の交差部材用プレートとを接合する接合ボルトと、ラチス材を取り付けるガセットプレートとの干渉を避けることができ、かつ接合部がコンパクトになるので、接合部耐力及び意匠性の面で有利である。
（４）交差部材であるＨ形断面部材やコ形断面部材に作用する軸力が大きい場合でも、Ｈ形断面部材等のウェブの接合部分を部分的に補強すれば対処できるので、Ｈ形断面部材等のフランジ及びウェブ共に接合する、いわゆる“剛接合”に敢えてしなくてもよく、製作が容易であり経済的である。
【図面の簡単な説明】
【００２０】
【図１】第１実施例を示す立体トラス接合部の側面図である。
【図２】第２及び第３実施例の立体トラス接合部を示し、（ａ）はその側面図、（ｂ）は（ａ）におけるニ−ニ断面の平面図である。
【図３】第４実施例の立体トラス接合部を示し、（ａ）はその側面図、（ｂ）も同じく（ａ）とは別の実施例の側面図である。
【図４】従来の平行トラス架構を示す平面図及び断面図である。
【図５】従来の平行トラス架構の接合部を示し、（ａ）はその側面図、（ｂ）は（ａ）のイ−イ断面の側面図である。
【図６】従来の立体トラス架構を示す平面図及び断面図である。
【図７】従来の立体トラス架構の別の例を示す平面図及び断面図である。
【図８】従来の立体トラス架構の図７の平面図で示す四角形格子の上弦面と下弦面とを入れ替えた場合の平面図及び断面図である。
【図９】従来の立体トラス接合部を示し、（ａ）はその側面図、（ｂ）は（ａ）のロ−ロ断面の平面図である。
【考案を実施するための形態】
【実施例１】
【００２１】  本考案の第１実施例を図１に示す。同図は従来の立体トラス架構の例を示す図６〜図７において、その上弦節点１ａ部分の詳細を図示した従来の図９に対応する。
本考案の立体トラス架構は、従来の図６〜図７に図示されるような、複数の四角形格子が上下に隔てて配置され、かつ、これら四角形格子は平面視で重なることなく、上弦材１の四角形格子の各々の節点１ａ、１ａ・・・の中央下面に下弦材２の四角形格子の各々の節点２ａ、２ａ・・・が位置するようにずれて配置され、これらの上下節点１ａ、２ａ間に傾斜して配置される複数のラチス材３、３・・・から構成される立体トラスに適用されるものであるが、図６〜図７における立体トラス架構が四角形格子で形成される他に、長四角形や菱形に形成しても適用可能である。【００２２】  このような略四角形格子を形成する部材として図１に示すように、Ｔ形断面部材１１（図１に図示してないが従来の図９（ｂ）に示すＴ形断面部材１１１に相当する）と、同部材１１に交差し、Ｔ形断面部材１１とは異なる断面形状或いは断面のせいの交差部材１２（図示ではＨ形断面部材）とを接合する接合金物１０において、従来の図９に示した接合金物１１０がＴ形断面部材１１１と交差部材１１２との高さレベルを一致させているのに対して、図１に示すように、本考案の接合金物１０は、Ｔ形断面部材１１の軸芯Ｌ１と、その軸芯Ｌ１のレベルまで交差部材１２の軸芯Ｌ２を上に移動することで一致させて部材同士１１、１２を偏芯なく交差させ、かつ、これら両部材１１、１２の軸芯Ｌ１とＬ２との交点に、図６〜図８で示すように上弦節点１ａから下弦節点２ａに傾斜して取付けられる複数のラチス材３、３・・・の軸芯Ｌ３を引付けてなる接合構造である。【００２３】  また、接合金物１０は、Ｔ形断面部材１１のフランジ及びウェブの位置に合わせた平面プレート１０ａと縦プレート１０ｂにより形成され、この両プレート１０ａ、１０ｂとＴ形断面部材１１のフランジ及びウェブとが、図示しないが従来の図９と同様に、スプライスプレート１１１ｂ、１１１ｂ・・・を介してボルト１１１ａ、１１１ａ・・・にてそれぞれ接合され、また、交差部材１２であるＨ形断面部材のウェブと、接合金物１０の交差部材１２の方向に取付けられた交差部材用プレート１０ｃとがボルト１２ａ、１２ａ・・・のみにより直接接合される。
なお、Ｔ形断面部材１１に交差する交差部材１２の左右部材の一方がＨ形断面部材、他方がコ形断面部材或いは断面せいが異なるＴ形断面部材など、種々の断面部材が適用可能で、それぞれの交差部材１２の軸芯Ｌ２、Ｌ２やラチス材３、３・・・の軸芯Ｌ３を、接合金物１０におけるＴ形断面部材１１の軸芯Ｌ１に一致させることができることは当然である。【００２４】  また、本考案は、従来の図９に示した接合金物１１０に取付けられた交差部材用プレート１１０ｃと交差部材１１２とを接合するボルト１１２ａ、１１２ａ・・・の位置が上方に移動する。よって、本考案を図１で示すように、ラチス材３を取付けるガセットプレート３ａから遠ざかるので、ボルト１２ａ、１２ａ・・・との干渉を避けられる。従って、交差部材用プレート１０ｃと交差部材１２とを接合するボルト１２ａ、１２ａ・・・との干渉を避けるために交差部材用プレート１０ｃを水平方向に長くする必要はない。
なお、交差部材１２であるＨ形断面部材の下フランジは、ラチス材３を取付けるガセットプレート３ａと干渉をしないようにその一部を切除している。【００２５】  以上は上弦材節点の接合部について説明したが、下弦材節点の接合部についても、図１が上下逆さになるだけなので、全く同じことであることは言うまでもない。
このような構成なので、Ｔ形断面部材とＨ形断面部材等を混用した立体トラスの節点接合部での各部材の軸芯の偏芯が避けられ、かつコンパクトな接合部が可能となる。
【実施例２】
【００２６】  図２（ａ）、（ｂ）に本考案の第２実施例を示し、図２（ａ）は、従来の立体トラス架構である図８のＤ−Ｄ断面で示した三角屋根の棟頂部の上弦節点１ａで、屋根が傾斜してなく水平に配置された場合の接合部の側面図を示している。また図２（ｂ）に示すように、上下方向から上弦材（Ｔ形断面部材）１１Ａ、１１Ａ・・・の各２本が、また水平方向から左右の各１本の交差部材（対角材）４，４を接合する場合で、この場合の接合金物１０には、図に示す上下方向の上弦材１１Ａのウェブの方向にそれぞれ縦プレート１０ｂ、１０ｂ・・・が取り付けられ、これ以外の平面プレート１０ａ及び交差部材用プレート１０ｃは図１で示した接合金物１０と同じく形成される。
この場合のラチス材３、３・・・は、従来の図８の立体トラス架構に対応しており、図２（ｂ）の平面図では、上弦材１１Ａ、１１Ａ・・・の真下に位置する。【００２７】  前記第１実施例では、交差部材１２としてＨ形断面部材が比較的断面のせいの低い場合を示したが、これより断面せいの大きいＨ形断面部材の場合にはその上フランジ位置が、接合金物１０に取付けられ交差部材１２を接合する交差部材用プレート１０ｃが接合金物１０を形成する平面プレート１０ａの上端よりもかなり高くなるので、交差部材用プレート１０ｃも上方に広げる必要がある。そこで、第２実施例は、交差部材用プレート１０ｃが接合金物１０を貫通する通し板としたものである。
なお、図１（図６〜図７に図示の立体トラス架構の上弦節点１ａに対応）示した交差部材１２が断面せいの大きいＨ形断面部材の場合にも、差部材用プレート１０ｃが接合金物１０を貫通する通し板とすることもある。【００２８】  図２（ａ）、（ｂ）の左半分が、交差部材４（図示ではＨ形断面部材）のウェブと接合金物１０の交差部材用プレート１０ｃとをボルト１２ａ、１２ａ・・・にて直接接合する場合を、右半分が、交差部材１２のウェブと交差部材用プレート１０ｃとを２枚のスプライスプレート１２ｂ、１２ｂにて両面から挟み込んで、ボルト１２ａ、１２ａ・・・にて接合する場合を示している。
【実施例３】
【００２９】  第３実施例を図１及び図２（ａ）、（ｂ）において説明する。図１及び図２（ａ）、（ｂ）の左半分に図示のように、交差部材１２又は４であるＨ形断面部材のウェブは通常板厚が薄いので、スチフナ１２ｃを設けて補剛するものである。
また、交差部材１２又は４であるＨ形断面部材に大きな軸力が作用する場合には、通常はフランジとウェブ両方を接合することが多いが、納まりが複雑になるデメリットがある。そこでＨ形断面部材のウェブを補剛するスチフナ１２ｃに加え、図２（ａ）、（ｂ）の右半分に図示のように、ウェブを添え板１２ｄにより増厚することで、接合部における軸力の確実な伝達を確保している。【００３０】  なお、交差部材１２又は４に設置される母屋受け２１と母屋２２との納まりは、通常は、図１に示すように、交差部材１２であるＨ形断面部材の上フランジ上面に、Ｈ形断面部材の軸芯に交差するように母屋受け２１を取付けピース２１ａにて固定し、その母屋受け２１の上面に母屋２２を取付けピース２２ａにて取り付ける。従って、交差部材１２であるＨ形断面部材の軸芯Ｌ２をＴ形断面部材１１の軸芯Ｌ１のレベルに合わせると、Ｈ形断面部材の上端が高くなるため、母屋２２も高くなり屋根仕上げの厚みが増すので好ましくない。【００３１】  そこで、図２（ａ）及びそのヘ−ヘ断面に図示のように、母屋受け２１のレベルを交差部材１２であるＨ形断面部材の上フランジと重なるレベルに下げ、図１の取付けピース２１ａを取付けプレート２１ｂに変えて取り付ければ、母屋受け２１及び母屋２２の高さの調整は自由自在となる。
【実施例４】
【００３２】  図３（ａ）、（ｂ）は第４実施例を説明する側面図であり、図３（ａ）は実施例１に対応し、図３（ｂ）は実施例２に対応する。
交差部材１２としてコ形断面部材を２本用い、図３（ａ）、（ｂ）のトート断面のように、それらコ形断面部材のウェブにて接合金物１０の交差部材用プレート１０ｃを挟み込んでボルト１２ａ、１２ａ・・・で接合するものである。この場合、交差部材１２であるコ形断面部材の下フランジは、ラチス材３を取付けるガセットプレート３ａと干渉をしないようにその一部を切除する場合もある。
また、コ形断面部材のウェブの板厚が薄い場合は、実施例３のＨ形断面部材の場合のように、添え板１２ｄによる増厚又はスチフナ１２ｃによる補剛或いはその双方（図示せず）を施してもよい。
【符号の説明】
【００３３】１：上弦材
１ａ：上弦節点
２：下弦材
２ａ：下弦節点
３：ラチス材
３ａ：ガセットプレート
４：交差部材（対角材）
１０：接合金物
１０ａ：平面プレート
１０ｂ：縦プレート
１０ｃ：交差部材用プレート
１１：Ｔ形断面部材
１１Ａ：上弦材
１２：交差部材
１２ａ：ボルト
１２ｂ：スプライスプレート
１２ｃ：スチフナ
１２ｄ：添え板
２１：母屋受け
２１ａ：取付けピース
２１ｂ：取付けプレート
２２：母屋
２２ａ：取付けピース
１００：平面トラス
１０１：上弦材
１０１ａ：下弦材
１０２：小梁
１０２ａ：ガセットプレート
１０２ｂ：ボルト
１０３：ラチス材
１０４：座屈止め材
１１０：接合金物
１１０ａ：平面プレート
１１０ｂ：縦プレート
１１０ｃ：交差部材用プレート
１１１：Ｔ形断面部材
１１１ａ：ボルト
１１１ｂ：スプライスプレート
１１２：交差部材
１１２ａ：ボルト
１１３：ラチス材
１１３ａ：ガセットプレート
Ｌ１：軸芯（上弦材、Ｔ形断面部材）
Ｌ２：軸芯（小梁、交差部材）
Ｌ３：軸芯（ラチス材）
ｅ：軸芯間寸法
【図１】
0003183152.tif 000003
【図２】
0003183152.tif 000004
【図３】
0003183152.tif 000005
【図４】
0003183152.tif 000006
【図５】
0003183152.tif 000007
【図６】
0003183152.tif 000008
【図７】
0003183152.tif 000009
【図８】
0003183152.tif 000010
【図９】
0003183152.tif 000011